(57)【要約】【課題】同一色の光源を複数用いて構成された照明装置において、同一色の光源間で光の輝度や色にバラツキがある場合でも、照明装置の全体としては輝度ムラや色ムラを小さくする。【解決手段】同一色の光を発光すると共に互いに輝度が異なる複数の光源２９を有し、複数の同一色の光源２９の間で、輝度が高い光を出射する高輝度光源２９ｂの光出射範囲Ｗ２は輝度が低い光を出射する低輝度光源２９ａの光出射範囲Ｗ１に比べて広くなっている照明装置である。この照明装置においては、低輝度光源２９ａから狭い範囲Ｗ１に出射した光と高輝度光源２９ｂから広い範囲Ｗ２に出射した光とが混光するとき、それらの光の間における光の強度の差が小さくなり、混光された光の光量の均一性が向上する。それ故、照明装置から発せられる光の輝度を均一にできる。【選択図】図８
2007287789.tif 000002
【特許請求の範囲】
【請求項１】
同一色であって輝度が互いに異なる光を発光する複数の光源を有し、
前記複数の同一色の光源の間で、輝度が高い光を出射する光源の光出射範囲は、輝度が
低い光を出射する光源の光出射範囲に比べて広い
ことを特徴とする照明装置。
【請求項２】
請求項１記載の照明装置において、前記輝度が高い光を出射する光源と前記輝度が低い
光を出射する光源とは隣り合って配置されることを特徴とする照明装置。
【請求項３】
請求項１記載の照明装置において、前記輝度が低い光を出射する光源は、前記輝度が高
い光を出射する光源の間に配置されることを特徴とする照明装置。
【請求項４】
請求項１から請求項３のいずれか１つに記載の照明装置において、個々の前記光源は、
単色光を発する発光体と、該発光体から発せられた光を所定の方向に反射する光反射面と
を有し、該光反射面の前記発光体に対する角度は、前記輝度が高い光を出射する光源と前
記輝度が低い光を出射する光源との間で異なっていることを特徴とする照明装置。
【請求項５】
請求項１から請求項４のいずれか１つに記載の照明装置において、個々の前記光源の光
出射部にはレンズが設けられ、該レンズの屈折率は、前記輝度が高い光を出射する光源と
前記輝度が低い光を出射する光源との間で異なっていることを特徴とする照明装置。
【請求項６】
同一色であって青味が互いに異なる光を発光する複数の光源を有し、
前記複数の同一色の光源の間で、青味が強い光を出射する光源の光出射範囲は、青味が
弱い光を出射する光源の光出射範囲に比べて広い
ことを特徴とする照明装置。
【請求項７】
請求項６記載の照明装置において、前記青味が強い光を出射する光源と前記青味が弱い
光を出射する光源とは隣り合って配置されることを特徴とする照明装置。
【請求項８】
請求項６記載の照明装置において、前記青味が弱い光を出射する光源は、前記青味が強
い光を出射する光源の間に配置されることを特徴とする照明装置。
【請求項９】
請求項６から請求項８のいずれか１つに記載の照明装置において、個々の前記光源は、
単色光を発する発光体と、該発光体から発せられた光を所定の方向に反射する光反射面と
を有し、該光反射面の前記発光体に対する角度は、前記青味が強い光を出射する光源と前
記青味が弱い光を出射する光源との間で異なっていることを特徴とする照明装置。
【請求項１０】
請求項６から請求項９のいずれか１つに記載の照明装置において、個々の前記光源の光
出射部にはレンズが設けられ、該レンズの屈折率は、前記青味が強い光を出射する光源と
前記青味が弱い光を出射する光源との間で異なっていることを特徴とする照明装置。
【請求項１１】
請求項１から請求項１０のいずれか１つに記載の照明装置において、前記光源は、青色
の発光体と、該青色の発光体を覆う蛍光体とを有する白色光源であることを特徴とする照
明装置。
【請求項１２】
請求項１から請求項１０のいずれか１つに記載の照明装置において、前記光源は、青色
の光を発光する発光体と、緑色の光を発光する発光体と、赤色の各色を発光する発光体と
を有する白色光源であることを特徴とする照明装置。
【請求項１３】
請求項１から請求項１２のいずれか１つに記載の照明装置において、側面にある光入射
面から導入された光を光出射面から出射する導光体をさらに有し、前記複数の光源の光出
射部は前記導光体の前記光入射面に対向して配置されることを特徴とする照明装置。
【請求項１４】
請求項１から請求項１３のいずれか１つに記載の照明装置において、前記複数の光源は
被照明体に対向し、平面内で並べられていることを特徴とする照明装置。
【請求項１５】
画像を表示する液晶パネルと、
該液晶パネルの前記画像が視認される側と反対側の面に対向して設けられた照明装置と
を有し、
該照明装置は請求項１から請求項１４のいずれか１つに記載の照明装置である
ことを特徴とする液晶装置。
【請求項１６】
請求項１５記載の液晶装置を有することを特徴とする電子機器。
【発明の詳細な説明】
【技術分野】
【０００１】
本発明は、光源で発生した光を用いて照明を行う照明装置に関する。また、本発明は、
その照明装置を用いて構成される液晶装置に関する。また、本発明は、その液晶装置を用
いて構成される電子機器に関する。
【背景技術】
【０００２】
現在、携帯電話機、ＰＤＡ（パーソナル・デジタル・アシスタント）、パームトップコ
ンピュータ、液晶テレビ等といった電子機器に液晶装置が広く用いられている。例えば、
電子機器の各種情報を画像として表示するために液晶装置が用いられている。この液晶装
置には、通常、液晶パネルへ光を供給するための照明装置が設けられる。この照明装置に
おいて、発光体としてのＬＥＤ（Light Emitting Diode：発光ダイオード）を含む光源が
用いられることがある。
【０００３】
上記の光源を製作する場合に、製作された複数の光源の特性を揃えることは難しく、同
色の光源間でも色や輝度に差が生じることがある。そのため、複数の光源を用いて構成さ
れる照明装置では、個々の光源の特性の違いに応じて、照明装置が発する光の色や輝度が
ばらつくことがある。
【０００４】
ところで、複数の光源を用いた照明装置として、従来、異なる色の光源ごとに、それら
の光源が出射する光の出射範囲を異ならせた構造のものが知られている（例えば、特許文
献１参照）。この構成によれば、各光源から発せられた異なる色の光同士の間で輝度の差
が小さくなり光量の均一性が向上する。
【０００５】
【特許文献１】特開２００５−１９６９８９号公報（第９〜１０頁、図２）
【発明の開示】
【発明が解決しようとする課題】
【０００６】
しかしながら、特許文献１に開示された照明装置では、異なる色の光源間における色ム
ラや輝度ムラに関しては考慮されているのであるが、同一色の光源間の特性の違いによる
色ムラや輝度ムラに関しては考慮されていない。従って、１つの色の光源を複数個用いて
構成される照明装置、例えば、白色の光源を複数個用いて構成される照明装置において、
出射される光の輝度や色に同一の白色間でバラツキが発生することを防止することに関し
て十分ではなかった。
【０００７】
本発明は、上記の問題点に鑑みて成されたものであって、同一色の光源を複数用いて構
成された照明装置において、同一色の光源間で光の輝度や色にバラツキがある場合でも、
照明装置の全体としては輝度ムラや色ムラを小さくすることを目的とする。
【課題を解決するための手段】
【０００８】
本発明に係る第１の照明装置は、同一色であって輝度が互いに異なる光を発光する複数
の光源を有し、前記複数の同一色の光源の間で、輝度が高い光を出射する光源の光出射範
囲は、輝度が低い光を出射する光源の光出射範囲に比べて広いことを特徴とする。
【０００９】
本発明に係る照明装置において、同一色であって輝度が互いに異なる光を発光する複数
の光源としては、例えば、単色発光体である青色ＬＥＤをＹＡＧ系（イットリウム・アル
ミニウム・ガーネット）蛍光体で囲んでなる白色光源を複数個用いたものや、Ｂ（青）、
Ｇ（緑）又はＲ（赤）の各単色光を発光する３種類のＬＥＤを一体に含んでなる白色光源
を複数個用いたものが考えられる。また、複数の白色光源の中に単色光源を混在させてな
るものもある。また、全てが同一色の複数の単色光源を用いたものもある。また、Ｂ，Ｇ
又はＲの各単色光を発光する３種類の単色光源を複数個用いたものもある。
【００１０】
一般に、照明装置においては、本来、複数の同一色の光源間で輝度が均一であることが
望まれる。しかしながら、製造誤差等の原因により輝度にバラツキが生じることは避けら
れない。複数の光源の輝度が均一になるように複数の光源から適切なものを選別すること
は非常に面倒である。
【００１１】
上記構成の本発明に係る第１の照明装置では、複数の同一色の光源の間で、輝度が高い
光を出射する光源の光出射範囲を輝度が低い光を出射する光源の光出射範囲に比べて広く
設定した。一般に、広い範囲に出射された光は狭い範囲に出射された光よりも強度が弱く
なるので、輝度が低い光を出射する光源から狭い範囲に出射した光と、輝度が高い光を出
射する光源から広い範囲に出射した光とが混光するとき、それらの光の間における光の強
度の差が小さくなり、混光された光の光量の均一性が向上する。それ故、照明装置から発
せられる光の輝度を均一にできる。
【００１２】
また、輝度が高い光を出射する光源の光出射範囲を広くすることにより、複数の光源か
ら出射した光の混光をそれらの光源に近い位置から開始することができる。これにより、
本発明に係る第１の照明装置では、光源に近い位置において輝度ムラの無い光を出射でき
るので、照明装置を小型に形成できる。
【００１３】
次に、本発明に係る第１の照明装置において、前記輝度が高い光を出射する光源と前記
輝度が低い光を出射する光源とは隣り合って配置されることが望ましい。また、前記輝度
が低い光を出射する光源は、前記輝度が高い光を出射する光源の間に配置されることが望
ましい。これらいずれの場合においても、輝度が高い光を出射する光源と輝度が低い光を
出射する光源との間で、それぞれの光源から発せられた光をムラなく混色できるので、照
明装置が発する光の輝度にムラが発生することを防止できる。
【００１４】
次に、本発明に係る第１の照明装置において、個々の前記光源は、単色光を発する発光
体と、該発光体から発せられた光を所定の方向に反射する光反射面とを有し、該光反射面
の前記発光体に対する角度は、前記輝度が高い光を出射する光源と前記輝度が低い光を出
射する光源との間で異なっていることが望ましい。この構成によれば、光反射面の角度を
変えることにより、輝度が高い光を出射する光源の光出射範囲を広くし、輝度が低い光を
出射する光源の光出射範囲を狭くすることを容易に行うことができる。
【００１５】
次に、本発明に係る第１の照明装置において、個々の前記光源の光出射部にはレンズが
設けられ、該レンズの屈折率は、前記輝度が高い光を出射する光源と前記輝度が低い光を
出射する光源との間で異なっていることが望ましい。この構成によれば、レンズの屈折率
を異ならせることにより、光源から出射する光の出射範囲を異ならせることができるので
、輝度が高い光を出射する光源の光出射範囲を広くし、輝度が低い光を出射する光源の光
出射範囲を狭くすることを容易に行うことができる。
【００１６】
次に、本発明に係る第２の照明装置は、同一色であって青味が互いに異なる光を発光す
る複数の光源を有し、前記複数の同一色の光源の間で、青味が強い光を出射する光源の光
出射範囲は、青味が弱い光を出射する光源の光出射範囲に比べて広いことを特徴とする。
【００１７】
本発明に係る第２の照明装置において、同一色の光を発光し互いに青味が異なる複数の
光源を有する照明装置としては、例えば、単色発光体である青色ＬＥＤをＹＡＧ系蛍光体
で囲んでなる白色光源を複数個用いたものや、Ｂ、Ｇ又はＲの各単色光を発光する３種類
のＬＥＤを一体に含んでなる白色光源を複数個用いたものが考えられる。また、複数の白
色光源の中に単色光源を混在させてなるものもある。また、全てが同一色の複数の単色光
源を用いたものもある。また、Ｂ、Ｇ又はＲの各単色光を発光する３種類の単色光源を複
数個用いたものもある。
【００１８】
なお、青味が強いか又は青味が弱いかに関しては、光源の構成によって異なっている。
複数の単色発光体を用いてなる光源の場合、青味の強弱は、スペクトル上において青色の
波長成分が強いか又は弱いかということである。他方、１つの単色発光体を用いてなる光
源の場合、青味の強弱は、スペクトル上で発光体が発する光の色の波長成分が青色の波長
部分に片寄っているか又は片寄っていないかということである。
【００１９】
一般に、人間が感じる光の明るさである「視感度」は、その光の色によって異なってい
る。視感度が高い色としては、例えば、青色が挙げられる。そのため、複数の同一色の光
の間では、青味が強い光の方が青味が弱い光に比べて視感度が高くなる。すなわち、人間
は、青味が強い光源から出射される光を明るく感じ、青味が弱い光源から出射される光を
暗く感じることになる。仮に、複数の同一色の光源の間で青味に強弱のムラが生じると、
照明装置から発せられる光の青味にムラが生じる。その結果、照明装置から発せられた光
を視認した人には、その照明装置から発せられる光の輝度にムラがあるものと感じるおそ
れがある。そのため、本発明に係る第２の照明装置においては、青味の違いに応じて光源
の光出射範囲を異ならせることにした。
【００２０】
上記構成の本発明に係る第２の照明装置では、複数の同一色の光源の間で、青味が強い
光を出射する光源の光出射範囲を青味が弱い光を出射する光源の光出射範囲に比べて広く
設定した。一般に、広い範囲に出射された光は狭い範囲に出射された光よりも強度が弱く
なるので、青味が弱い光を出射する光源から狭い範囲に出射した光と、青味が強い光を出
射する光源から広い範囲に出射された光とが混光するとき、それらの光の間における光の
色味の差が小さくなり、混光された光の色味の均一性が向上する。それ故、照明装置から
発せられる光の青味を均一にできる。
【００２１】
また、青味が強い光を出射する光源の光出射範囲を広くすることにより、複数の光源か
ら出射した光の混光をそれらの光源に近い位置から開始できる。これにより、本発明に係
る第２の照明装置では、光源に近い位置において、青味のムラが無い光を出射できるので
、照明装置を小型に形成できる。
【００２２】
次に、本発明に係る第２の照明装置において、前記青味が強い光を出射する光源と前記
青色味が弱い光を出射する光源とは隣り合って配置されることが望ましい。また、前記青
味が弱い光を出射する光源は、前記青味が強い光を出射する光源の間に配置されることが
望ましい。これらいずれの場合においても、青味が強い光を出射する光源と青味が弱い光
を出射する光源との間で、それぞれの光源から発せられた光をムラなく混光できるので、
照明装置が発する光の色味にムラが発生することを防止できる。
【００２３】
次に、本発明に係る第２の照明装置において、個々の前記光源は、単色光を発する発光
体と、該発光体から発せられた光を所定の方向に反射する光反射面とを有し、該光反射面
の前記発光体に対する角度は、前記青味が強い光を出射する光源と前記青味が弱い光を出
射する光源との間で異なっていることが望ましい。この構成によれば、光反射面の角度を
変えることにより、青味が強い光を出射する光源の光出射範囲を広くし、青味が弱い光を
出射する光源の光の出射範囲を狭くすることを容易に行うことができる。
【００２４】
次に、本発明に係る第２の照明装置において、個々の前記光源の光出射部にはレンズが
設けられ、該レンズの屈折率は、前記青味が強い光を出射する光源と前記青味が弱い光を
出射する光源との間で異なっていることが望ましい。この構成によれば、レンズの屈折率
を異ならせることにより、光源から出射する光の出射範囲を異ならせることができるので
、青味が強い光を出射する光源の光出射範囲を広くし、青味が弱い光を出射する光源の光
の出射範囲を狭くすることを容易に行うことができる。
【００２５】
次に、本発明に係る各照明装置において、前記光源は、青色の発光体と、該青色の発光
体を覆う蛍光体とを有する白色光源を用いることができる。この構成の光源は、青色の発
光体から発光された青色の光と、当該青色の光が蛍光体に当たって黄色に変換された光と
を混色することにより、白色の光を出射する光源である。蛍光体としては、例えば、ＹＡ
Ｇ系蛍光体を適用できる。また、本発明に係る各照明装置において、前記光源は、青色の
光を発光する発光体と、緑色の光を発光する発光体と、赤色の各色を発光する発光体とを
有する白色光源を用いることができる。この構成の光源は、青色の光と緑色の光と赤色の
光とを混光して白色の光を出射する光源である。
【００２６】
上記のいずれの光源を用いた場合であっても、照明装置が出射する光の輝度にムラが発
生することを防止でき、又は照明装置が出射する光の青味にムラが発生することを防止で
きる。
【００２７】
次に、本発明に係る各照明装置において、側面にある光入射面から導入された光を光出
射面から出射する導光体をさらに有し、前記複数の光源は、当該光源の光出射部を前記導
光体の前記光入射面に対向して配置されることが望ましい。この構成の照明装置は、いわ
ゆるサイドライト型の照明装置である。このサイドライト型の照明装置では、各光源から
発せられた光を導光体に導入し、それらの光を導光体の内部で混光して、光出射面から出
射するものである。このサイドライト型の照明装置は、例えば、中型又は小型の液晶装置
等に用いられることが多い。
【００２８】
個々の光源から出射された光を導光体に導入する際、仮に個々の光源の輝度又は青味に
バラツキがある場合には、導光体の光出射面から出射される光の輝度又は青味にムラが発
生することがある。また、輝度や青味にムラが発生しないためには、導光体の光入射面、
又は光入射面の至近において、各光源からの光を混光する必要がある。
【００２９】
本発明態様においては、輝度が高い光を出射する光源の光出射範囲を広くでき、輝度が
低い光を出射する光源の光出射範囲を狭くできるので、導光体から出射する光の輝度にム
ラが発生することを防止できる。また、輝度が高い光を出射する光源の光出射範囲を広く
できるので、各光源から出射される光の混光をそれらの光源の光出射部に近い位置から開
始できる。その結果、導光体の光入射面から光源までの距離を短くできるので、照明装置
を小型に形成できる。従って、本発明態様の照明装置は、中型又は小型の液晶装置等に好
適に用いることができる。
【００３０】
また、青味が強い光を出射する光源の光出射範囲を広くでき、青味が弱い光を出射する
光源の光出射範囲を狭くできるので、導光体から出射する光の青味にムラが発生すること
を防止できる。また、青味が強い光を出射する光源の光出射範囲を広くできるので、各光
源から出射される光の混光をそれらの光源の光出射部に近い位置から開始できる。その結
果、導光体の光入射面から光源までの距離を短くできるので、照明装置を小型に形成でき
る。従って、本発明態様の照明装置は、中型又は小型の液晶装置等に好適に用いることが
できる。
【００３１】
次に、本発明に係る各照明装置において、前記複数の光源は被照明体に対向し、平面内
で並べられていることが望ましい。本発明態様において、被照明体としては、例えば液晶
装置等が考えられる。そしてその場合、複数の光源は液晶装置の表示面の反対側の面に対
向する平面内に並べられる。この構成の照明装置は、いわゆる直下型の照明装置である。
このような直下型の照明装置は、例えば、大型の液晶装置等に用いられることが多い。
【００３２】
本発明態様においても、輝度が高い光を出射する光源の光出射範囲を広くでき、輝度が
低い光を出射する光源の光出射範囲を狭くできるので、被照明体に照射する光の輝度にム
ラが発生することを防止できる。また、輝度が高い光を出射する光源の光出射範囲を広く
できるので、各光源から出射される光の混光をそれらの光源の光出射部に近い位置から開
始できる。その結果、光源から被照明体までの距離を短くできるので、照明装置を薄く形
成できる。
【００３３】
また、青味が強い光を出射する光源の光出射範囲を広くでき、青味が弱い光を出射する
光源の光出射範囲を狭くできるので、被照明体に照射する光の青味にムラが発生すること
を防止できる。また、青味が強い光を出射する光源の光出射範囲を広くできるので、各光
源から出射される光の混光をそれらの光源の光出射部に近い位置から開始できる。その結
果、光源から被照明体までの距離を短くできるので、照明装置を薄く形成できる。
【００３４】
次に、本発明に係る液晶装置は、画像を表示する液晶パネルと、該液晶パネルの前記画
像が視認される側と反対側の面に対向して設けられた照明装置とを有し、該照明装置は以
上に記載された構成の照明装置であることを特徴とする。この構成において、液晶パネル
は、電気的な入力条件を制御することで、光学的な出力状態を変化させることができるパ
ネル構造体である。また、液晶パネルは、液晶を含むパネル構造体であって、その液晶の
電気的な作用を利用して表示を実現するものである。この液晶パネルは、例えば、ガラス
等から成る一対の基板間に液晶を封入することによって形成される。
【００３５】
本発明に係る第１の照明装置は、複数の同一色の光源の間で、輝度が高い光を出射する
光源の光出射範囲を輝度が低い光を出射する光源の光出射範囲に比べて広くしたので、照
明装置が出射する光の輝度にムラが発生することを防止できる。従って、本発明に係る液
晶装置においても、液晶パネルの表示の輝度にムラが発生することを防止できる。
【００３６】
また、本発明に係る第２の照明装置は、複数の同一色の光源の間で、青味が強い光を出
射する光源の光出射範囲を青味が弱い光を出射する光源の光出射範囲に比べて広くしたの
で、照明装置が出射する光の色味にムラが発生することを防止できる。従って、本発明に
係る液晶装置においても、液晶パネルの表示の青味にムラが発生することを防止できる。
【００３７】
次に、本発明に係る電子機器は、以上に記載された構成の液晶装置を有することを特徴
とする。本発明に係る液晶装置は、出射する光の輝度又は青味のムラを抑えた照明装置を
用いることにより、液晶パネルの表示に輝度又は青味のムラが発生することを防止できる
。従って、この液晶装置を用いた本発明に係る電子機器においても、表示の輝度又は色味
にムラが発生することを防止できる。
【発明を実施するための最良の形態】
【００３８】
（照明装置及び液晶装置の第１実施形態）
以下、本発明に係る第１の照明装置及び液晶装置を実施形態に基づいて説明する。なお
、本発明がこの実施形態に限定されないことはもちろんである。また、これからの説明で
は必要に応じて図面を参照するが、この図面では、複数の構成要素から成る構造のうち重
要な構成要素を分かり易く示すため、各要素を実際とは異なった相対的な寸法で示す場合
がある。
【００３９】
図１は、本発明に係る液晶装置の平面構造を示している。図１では表示の単位領域であ
るサブ画素Ｄを模式的に拡大して示している。互いに隣接する３つのサブ画素Ｄによって
１つの表示画素Ｇが形成されている。図２は液晶装置を構成する液晶パネル及び照明装置
の断面構造を示しており、液晶パネルは図１のＺ１−Ｚ１線に従った断面構造を示し、照
明装置は図１のＺ２−Ｚ２線に従った断面構造を示している。
【００４０】
図２において、液晶装置１は、液晶パネル２と、この液晶パネル２に付設された照明装
置３とを有する。液晶パネル２は、素子基板４と、カラーフィルタ基板５とを有する。素
子基板４とカラーフィルタ基板５は、矢印Ａ方向から見て環状のシール材７によって間隙
を空けて貼り合わされている。この間隙が、いわゆるセルギャップである。セルギャップ
は、素子基板４とカラーフィルタ基板５との間に設けられた多数のスペーサ（図示せず）
によって保持される。このセルギャップ内に液晶が封止されて液晶層８が形成されている
。液晶としては、例えば、ＴＮ（Twisted Nematic）液晶が用いられる。
【００４１】
図１において、素子基板４は紙面奥側に設けられており、カラーフィルタ基板５は紙面
手前側に設けられている。液晶パネル２の内部に設けられる電極や配線は、本来、カラー
フィルタ基板５の存在によって外部から見えない要素であるが、図１では便宜的に電極、
配線等を実線で示している。
【００４２】
図２において素子基板４は、透光性のガラス、透光性のプラスチック等によって形成さ
れた透光性基板４ａを有し、その透光性基板４ａの外側表面に第１偏光板９ａが貼着され
ている。透光性基板４ａの内側表面には、図１に示すように、複数のソース線１１、複数
のゲート線１２、複数のスイッチング素子としてのＴＦＴ（Thin Film Transistor）素子
１３、及び複数の画素電極１４が設けられている。ソース線１１及びゲート線１２はＴＦ
Ｔ素子１３を構成する導電材料と同じ材料によって形成されている。また、画素電極１４
は、ＩＴＯ（Indium Tin Oxide）等といった透明導電材料によって形成されている。
【００４３】
素子基板４は、カラーフィルタ基板５の一辺から外側へ張り出す張出し部１５を有し、
この張出し部１５の辺端に外部接続用端子１６が設けられている。また、張出し部１５の
表面に駆動用ＩＣ１７が周知のＣＯＧ（Chip On Glass）技術を用いて実装されている。
駆動用ＩＣ１７の入力側の端子（図示せず）は外部接続用端子１６の一端に電気的に接続
されている。張出し部１５の辺端にはＦＰＣ（Flexible Printed Circuit）基板１８が実
装されており、外部接続用端子１６の他端がこのＦＰＣ基板１８内の配線と電気的に接続
されている。ＦＰＣ基板１８は、例えば、携帯電話機等といった電子機器内の制御回路に
接続される。
【００４４】
複数のソース線１１は、列方向Ｙに延在し且つ行方向Ｘに適宜の間隔で並べて設けられ
ている。各ソース線１１の張出し部１５側の一端は駆動用ＩＣ１７の出力側の端子（図示
せず）に電気的に接続されている。複数のゲート線１２は、行方向Ｘに延在し且つ列方向
Ｙに適宜の間隔で並べて設けられている。各ゲート線１２から延びる引回し配線１２ａの
張出し部１５側の一端は駆動用ＩＣ１７の出力側の端子（図示せず）に電気的に接続され
ている。
【００４５】
複数のＴＦＴ素子１３は、それぞれ、ソース線１１とゲート線１２とが交差する部分の
近傍に設けられている。３端子型のスイッチング素子であるＴＦＴ素子１３の各端子は、
それぞれ、ソース線１１、ゲート線１２、そして画素電極１４に電気的に接続される。各
ＴＦＴ素子１３及び各画素電極１４は、各サブ画素Ｄに対応する領域内に設けられている
。
【００４６】
１つの表示画素Ｇが行方向Ｘ及び列方向Ｙに複数個、マトリクス状に並べられて成る鎖
線で囲まれた領域が表示領域Ｖであり、この表示領域Ｖ内に文字、数字、図形等といった
画像が表示される。なお、液晶パネル２の平面領域内であって表示領域Ｖの外側の枠状の
領域は表示に寄与しない領域、いわゆる額縁領域Ｆである。
【００４７】
素子基板４上に形成されるソース線１１、ゲート線１２、及びそれらから延びる配線は
、図２においては図示を省略してある。また、素子基板４の構成要素である透光性基板４
ａの内部表面には、ＴＦＴ素子１３、画素電極１４以外に、ＴＦＴ素子１３と画素電極１
４とを電気的に絶縁する層間絶縁膜や、配向膜等が設けられるが、図２ではそれらの図示
を省略してある。
【００４８】
次に、図２において、カラーフィルタ基板５は、透光性のガラス、透光性のプラスチッ
ク等によって形成された透光性基板５ａを有し、その透光性基板５ａの外側表面に第２偏
光板９ｂが貼着されている。この第２偏光板９ｂの偏光透過軸と素子基板４側の第１偏光
板９ａの偏光透過軸は、液晶駆動モードの種類に対応した適宜の相対的な角度に設定され
ている。
【００４９】
透光性基板５ａの内部表面には、遮光膜１９が矢印Ａ方向から見て行方向Ｘ及び列方向
Ｙのそれぞれにストライプ状、すなわち格子状に設けられている。この遮光膜１９は、サ
ブ画素Ｄを区画する位置に形成されている。そして、遮光膜１９に囲まれる個々の領域内
にＢ（青）、Ｇ（緑）、Ｒ（赤）の３色の着色膜２１が１つずつ設けられ、それらの上に
オーバーコート膜２２が設けられ、さらにその上に共通電極２３が設けられている。着色
膜２１に関しては、青、緑、赤の色を区別して表記したい場合には、それぞれ、２１Ｂ、
２１Ｇ、２１Ｒのように表記することにし、色を区別することなく単に着色膜であること
を表記したい場合には着色膜２１のように表記することにする。
【００５０】
Ｂ，Ｇ，Ｒの各色の着色膜２１は、特定波長の光を選択的に透過させてカラー表示を実
現するためのカラーフィルタとして機能する。共通電極２３は、素子基板４側の画素電極
１４と同じくＩＴＯ等といった透明導電材によって形成され、カラーフィルタ基板５のほ
ぼ全面にわたって設けられている。この共通電極２３は、図１において、シール材７の隅
の領域Ｃにおいて配線２４の一端と電気的に接続されている。この配線２４の他端は駆動
用ＩＣ１７のＣＯＭに対応する出力端子と電気的に接続されている。
【００５１】
次に、図２において、照明装置３は、導光体２６と光源部２７とを有する。光源部２７
は、図３に示すように、可撓性を有するフレキシブル基板２８と、その基板２８上に設け
られた複数の光源２９とを有する。フレキシブル基板２８は、図２の導光体２６の側面と
ほぼ同じか、それよりも少し長い長さを有している。
【００５２】
本実施形態において、光源２９は、主に、単色光を発する発光体と当該発光体が実装さ
れる絶縁体とから成るパッケージ型の光源である。ここで、光源２９の具体的な構造につ
いて説明する。図４（ａ）は、図３の光源２９を矢印Ｂ方向から見た平面図である。また
、図４（ｂ）は、図４（ａ）のＺ３−Ｚ３線に従った断面図である。光源２９は、図４（
ｂ）に示すように、絶縁体３１と、発光体としてのＬＥＤ３２と、透明樹脂４１と、レン
ズ４２とを有する。
【００５３】
絶縁体３１は、例えば樹脂等によって形成され、すり鉢状の凹部（すなわち、底面の面
積に比べて開放部の面積が広い形状の凹部）を有している。この凹部の内側には、例えば
メッキ処理等により膜が形成されることにより、光反射面３１ａが形成されている。この
光反射面３１ａは、ＬＥＤ３２から発せられた光を所定の方向に反射する機能を有する。
具体的には、ＬＥＤ３２から発せられた光を光出射部３０へ向けて反射できる。
【００５４】
ＬＥＤ３２は、絶縁体３１の底面３１ｂ上に設けられている。なお、図４（ｂ）に示す
光源２９の断面図は、図４（ａ）においてＺ３−Ｚ３線に従った断面を示しているので、
図４（ｂ）には赤色ＬＥＤ３２Ｒのみが示されているが、実際には、Ｒ（赤色）の光を発
光する赤色ＬＥＤ３２Ｒと、Ｇ（緑色）の光を発光する緑色ＬＥＤ３２Ｇと、Ｂ（青色）
の光を発光する青色ＬＥＤ３２Ｂとが、絶縁体３１の凹部の底面３１ｂに設置されている
。
【００５５】
絶縁体３１の底面３１ｂには、青色ＬＥＤ３２Ｂ、緑色ＬＥＤ３２Ｇ及び赤色ＬＥＤ３
２Ｒのそれぞれに対応して電極３３及び電極３４が設けられている。これらの電極３３，
３４の外部端子は、図３のフレキシブル基板２８上に形成された配線（図示せず）に接続
されている。一方、図４（ｂ）において、電極３３，３４の内部端子は各ＬＥＤ３２Ｂ，
３２Ｇ，３２Ｒに接続されている。例えば、ＬＥＤ３２Ｂ，３２Ｇ，３２Ｒのアノード３
６がワイヤ３７ａを介して電極３３に接続され、カソード３８がワイヤ３７ｂを介して電
極３４に接続されている。
【００５６】
透明樹脂４１は、絶縁体３１によって囲まれる空間内、すなわち、すり鉢状の凹部の内
側の空間に充填されている。この透明樹脂４１には、例えばエポキシ樹脂やシリコーン樹
脂等を用いることができる。また、レンズ４２は、絶縁体３１のすり鉢状の凹部の開放部
、すなわち光源２９の光出射部３０に設けられている。このレンズ４２は、ＬＥＤ３２か
ら発せられて光出射部３０へ到達した光を屈折させ、光出射部３０から出射する光の出射
範囲を変えることができる。光の出射範囲を変えるには、レンズ４２の屈折率を変えるこ
とにより実現できる。本実施形態では、個々の光源２９が出射する光の輝度に対応して屈
折率が異なるレンズ４２を設けることができる。なお、図４（ｂ）では、レンズ４２は凸
レンズとしているが、これに代えて凹レンズを用いることもできる。
【００５７】
図４（ａ）の青色ＬＥＤ３２Ｂ、緑色ＬＥＤ３２Ｇ及び赤色ＬＥＤ３２Ｒは、例えば、
図５に示す駆動回路４４によって駆動される。この駆動回路４４は、電力を供給するＬＥ
Ｄ駆動電源部４５と、ドライバとしてのＬＥＤ駆動部４６と、青色ＬＥＤ駆動回路４７と
、緑色ＬＥＤ駆動回路４８と、赤色ＬＥＤ駆動回路４９とを有する。青色ＬＥＤ駆動回路
４７は、図３のフレキシブル基板２８上に設けられた複数の光源２９内の各青色ＬＥＤ３
２Ｂと直列に接続されている。また、図５の緑色ＬＥＤ駆動回路４８は、図３のフレキシ
ブル基板２８上に設けられた複数の光源２９内の各緑色ＬＥＤ３２Ｇと直列に接続されて
いる。また、図５の赤色ＬＥＤ駆動回路４９は、図３のフレキシブル基板２８上に設けら
れた複数の光源２９内の各赤色ＬＥＤ３２Ｒと直列に接続されている。
【００５８】
青色ＬＥＤ駆動回路４７、緑色ＬＥＤ駆動回路４８及び赤色ＬＥＤ駆動回路４９は、例
えば、図６に示すように、パルス電圧発生回路５０と、その回路５０に直列に接続された
電流制限抵抗Ｒ０とを有する。電流制限抵抗Ｒ０の大きさは、青色ＬＥＤ３２Ｂ、緑色Ｌ
ＥＤ３２Ｇ及び赤色ＬＥＤ３２Ｒに流すことのできる電流の許容値に基づいて決められる
。パルス電圧発生回路５０は、図５のＬＥＤ駆動部４６からの指令に従って青色ＬＥＤ３
２Ｂ、緑色ＬＥＤ３２Ｇ及び赤色ＬＥＤ３２Ｒに所定のパルス電流を供給する。また、パ
ルス電圧発生回路５０は、ＬＥＤ駆動部４６からの指令に従って各ＬＥＤ３２Ｂ，３２Ｇ
，３２Ｒへ供給するパルス電流の幅及びタイミングを制御する。図５の回路図から分かる
ように、駆動回路４４は、青色、緑色及び赤色の色ごとにＬＥＤへの電流を制御する。
【００５９】
青色ＬＥＤ駆動回路４７によって青色ＬＥＤ３２Ｂへ図７に示すようなパルス電流を供
給すれば青色ＬＥＤ３２Ｂが発光する。また、緑色ＬＥＤ駆動回路４８によって緑色ＬＥ
Ｄ３２Ｇへ図７に示すようなパルス電流を供給すれば緑色ＬＥＤ３２Ｂが発光する。また
、赤色ＬＥＤ駆動回路４９によって赤色ＬＥＤ３２Ｒへ図７に示すようなパルス電流を供
給すれば赤色ＬＥＤ３２Ｒが発光する。青色ＬＥＤ３２Ｂ、緑色ＬＥＤ３２Ｇ及び赤色Ｌ
ＥＤ３２Ｒが同時に発光することによりＢ，Ｇ，Ｒの各色の光が混光されて白色光が出射
光として得られる。
【００６０】
以下、上記構成より成る照明装置及び液晶装置の動作について説明する。
図５において青色ＬＥＤ駆動回路４７、緑色ＬＥＤ駆動回路４８及び赤色ＬＥＤ駆動回
路４９が作動して青色ＬＥＤ３２Ｂ、緑色ＬＥＤ３２Ｇ及び赤色ＬＥＤ３２Ｒに図７に示
すパルス電流が供給される。これにより、画像表示処理における１フレーム期間内の所定
のパルス幅において青色ＬＥＤ３２Ｂ、緑色ＬＥＤ３２Ｇ及び赤色ＬＥＤ３２Ｒが所定の
期間内で同時に発光する。
【００６１】
このとき、Ｂ，Ｇ，Ｒの各色の光が混光された白色光が図２の光源部２７から発せられ
、導光体２６の光入射面２６ａから導光体２６内へ導入される。導入された光は、導光体
２６の光反射面２６ｂ、光出射面２６ｃ、及び光入射面２６ａと反対の端面で反射を繰り
返し、光出射面２６ｃにおいて臨界角を越えたときに、その光出射面２６ｃから外部へ出
射する。この出射光は光出射面２６ｃから面状の光となって液晶パネル２へ供給される。
【００６２】
液晶パネル２においては、画素電極１４と共通電極２３との間にサブ画素Ｄごとに画像
信号に対応した電圧が印加され、液晶層８内の液晶分子の配向がサブ画素Ｄごとに制御さ
れる。このため、液晶パネル２へ供給された照明装置３からの光が液晶層８においてサブ
画素Ｄごとに変調される。この変調された光がカラーフィルタ基板５側の偏光板９ｂおい
て通過を規制されることにより、表示領域Ｖ内に画像が表示される。
【００６３】
以下、図３の光源２９の配列について説明する。
図８（ａ）は、本実施形態に係る光源２９の配列の一例を示している。光源２９は、輝
度の違いに応じて、低輝度光源２９ａと高輝度光源２９ｂとの２種類に区別することがで
きる。低輝度光源２９ａは、輝度の基準値よりも低い輝度の光を出射する光源である。他
方、高輝度光源２９ｂは、上記の輝度の基準値よりも高い輝度の光を出射する光源である
。ここで、輝度の基準値は、例えば、光源２９の設計基準値であり、光源２９が出射する
光の輝度の目標となる値である。
【００６４】
上記の低輝度光源２９ａと高輝度光源２９ｂの輝度の違いは、例えば、光源２９に用い
る図３のＬＥＤ３２の製造誤差等によって生じる輝度のバラツキによるものである。なお
、図８（ａ）に示す複数の低輝度光源２９ａ同士の間、及び複数の高輝度光源２９ｂ同士
の間においても、図３のＬＥＤ３２の製造誤差等による輝度のバラツキが生じているもの
とする。すなわち、複数の低輝度光源２９ａは、基準値より低い輝度の範囲内において、
輝度が高い個体と輝度が低い個体とを含むものである。また、複数の高輝度光源２９ｂも
、基準値より高い輝度の範囲内において、輝度が高い個体と輝度が低い個体とを含むもの
である。
【００６５】
図８（ａ）において、複数の光源２９は、フレキシブル基板２８上に行方向Ｘに並んで
配置されている。そして、図の左側から順に低輝度光源２９ａと高輝度光源２９ｂとが交
互に配置されている。具体的には、最も左側に位置する低輝度光源２９ａの右隣に、高輝
度光源２９ｂが設けられている。そして、その高輝度光源２９ｂの右隣には、低輝度光源
２９ａが設けられている。以下、同様にして、低輝度光源２９ａ、高輝度光源２９ｂの順
に交互に配置されている。すなわち、低輝度光源２９ａと高輝度光源２９ｂとが隣り合っ
て配置されている。
【００６６】
なお、図８（ａ）において、低輝度光源２９ａの右隣に高輝度光源２９ｂが配置されて
いる部分（例えば、矢印Ｃ１で示す部分）が、「輝度が高い光を出射する光源と輝度が低
い光を出射する光源とが隣り合って配置される」構成の実施形態を示している。また、３
つの光源が２９ｂ，２９ａ，２９ｂの順に配列されている部分（例えば、矢印Ｃ２で示す
部分）が、「輝度が低い光を出射する光源は、輝度が高い光を出射する光源の間に配置さ
れる」構成の実施形態を示している。
【００６７】
各光源２９から出射される光の出射範囲は、図８（ａ）において鎖線で示された範囲で
ある。本実施形態では、高輝度光源２９ｂの光出射範囲Ｗ２を、低輝度光源２９ａの光出
射範囲Ｗ１に比べて広く設定している。すなわち、光の出射範囲が広い光源２９ｂと光の
出射範囲が狭い光源２９ａとが隣り合って配置されている。なお、複数の光源２９ａ同士
の間では同じ光出射範囲Ｗ１に設定されている。また、複数の光源２９ｂ同士の間では同
じ光出射範囲Ｗ２に設定されている。
【００６８】
個々の光源２９の光出射範囲は、図４（ｂ）において光源２９の光出射部３０に設けら
れたレンズ４２の屈折率を変えることにより調節できる。例えば、図８（ａ）の高輝度光
源２９ｂにおいては、図４（ｂ）のレンズ４２の屈折率を大きく設定することにより、図
８（ａ）の光出射部３０から外部へ向けて広い範囲Ｗ２に光を出射できる。他方、低輝度
光源２９ａにおいては、図４（ｂ）のレンズ４２の屈折率を小さく設定することにより、
図８（ａ）の光出射部３０から外部へ向けて狭い範囲Ｗ１の光を出射できる。レンズ４２
の屈折率を上記のように設定すれば、高輝度光源２９ｂにおける光の出射範囲Ｗ２を、低
輝度光源２９ａにおける光の出射範囲Ｗ１に比べて広くすることを容易に実現できる。
【００６９】
ところで、従来の照明装置においては、光源を製作することに関して、複数の光源の特
性を揃えることは難しく、同一色の光源間でも色や輝度に差が生じることがある。そのた
め、複数の光源を用いて構成される従来の照明装置では、個々の光源の特性の違いに応じ
て、照明装置が発する光の色や輝度がばらつくことがあった。
【００７０】
これに対し、本実施形態の照明装置では、図８（ａ）に示すように、複数の同一色（本
実施形態では白色）の光源２９の間で、輝度が高い光を出射する高輝度光源２９ｂの光出
射範囲Ｗ２を輝度が低い光を出射する低輝度光源２９ａの光出射範囲Ｗ１に比べて広く設
定した。一般に、広い範囲Ｗ２に出射された光は狭い範囲Ｗ１に出射された光よりも強度
が弱くなるので、低輝度光源２９ａから狭い範囲に出射した光と、高輝度光源２９ｂから
広い範囲に出射した光とが混光するとき、それらの光の間における強度の差が小さくなり
、混光された光の光量の均一性が向上する。それ故、図２の照明装置３から発せられる光
Ｌの輝度を、光出射面２６ｃの全域において均一にできる。従って、この照明装置３を備
えた図２の液晶装置１において、液晶パネル２の表示の輝度にムラが発生することを防止
できる。
【００７１】
また、図８（ａ）において、高輝度光源２９ｂの光出射範囲Ｗ２を広くすることにより
、複数の光源２９から出射した光の混光をそれらの光源２９に近い位置から開始できる。
すなわち、光源２９の光出射部３０から、複数の光源２９から出射した光が混光する位置
までの距離ｔ０を短くすることができる。これにより、本実施形態の照明装置３では、光
源２９から近い位置において輝度ムラの無い光を出射できるので、照明装置３を小型に形
成できる。
【００７２】
（変形例）
上記の実施形態では、図８（ａ）の複数の低輝度光源２９ａが輝度の高い個体と輝度の
低い個体とを含む場合、及び複数の高輝度光源２９ｂが輝度の高い個体と輝度の低い個体
とを含む場合を例示した。しかしながら、本発明は、複数の低輝度光源２９ａ同士の間及
び複数の高輝度光源２９ｂ同子の間において、輝度のバラツキが微少の場合、又は輝度が
一定に揃っている場合にも適用できる。
【００７３】
また、上記の実施形態では、複数の低輝度光源２９ａの間において、それらの光出射範
囲Ｗ１を同じ範囲に設定している。また、複数の高輝度光源２９ｂの間においても、それ
らの光出射範囲Ｗ２を同じ範囲に設定している。しかしながら、個々の低輝度光源２９ａ
の輝度のバラツキに応じて光出射範囲をそれぞれ異ならせても良い。また、個々の高輝度
光源２９ｂの輝度のバラツキに応じて光出射範囲もそれぞれ異ならせても良い。こうすれ
ば、図２の照明装置３から発せられる光Ｌの輝度をより確実に均一にできる。
【００７４】
また、上記の実施形態では、図４（ｂ）に示すレンズ４２の屈折率を変えることにより
、光源２９の光出射範囲を調節している。しかしながら、光源２９の光出射範囲は、光反
射面３１ａのＬＥＤ３２に対する角度を変えることによって調節することもできる。例え
ば、図８（ａ）の高輝度光源２９ｂにおいては、図４（ｂ）に示す凹部の開放部が大きく
開いて光出射部３０が広くなるように、光反射面３１ａの角度を大きくすることにより、
光出射部３０から外部へ向けて広い範囲Ｗ２に光を出射できる。他方、図８（ａ）の低輝
度光源２９ａにおいては、図４（ｂ）に示す光出射部３０が狭くなるように、光反射面３
１ａの角度を小さくすることにより、光出射部３０から外部へ向けて狭い範囲Ｗ２に光を
出射できる。
【００７５】
また、上記の実施形態では、光源として、図４に示すように、青色ＬＥＤ３２Ｂ、緑色
ＬＥＤ３２Ｇ及び赤色ＬＥＤ３２Ｒを備えたパッケージ型の光源を用いている。このパッ
ケージ型の光源では、各ＬＥＤ３２Ｂ，３２Ｇ，３２Ｒから出射された各色の光を混光し
て白色光を得ている。しかしながら、上記各実施形態における照明装置には、上記以外の
構成の白色光源を用いることもできる。例えば、図９に示す白色光源３９を用いることが
できる。この白色光源３９は、ＹＡＧ系蛍光体と青色ＬＥＤとを備えた白色光源である。
【００７６】
図９（ａ）は、白色光源３９の平面的な構成を示している。また、図９（ｂ）は、図９
（ａ）のＺ４−Ｚ４線に従った断面図である。図９（ｂ）に示すように、白色光源３９は
、絶縁体３１と、単色発光体である青色ＬＥＤ３２Ｂと、電極３３及び３４と、透明樹脂
４１と、複数のＹＡＧ系蛍光体４０と、レンズ４２とを有する。絶縁体３１、電極３３，
３４及びレンズ４２に関しては、図４に示す光源２９と同じ構造とすることができるので
、それらに関する説明は省略する。
【００７７】
図９（ｂ）において、絶縁体３１はすり鉢状の凹部を有し、そのすり鉢状の凹部の底面
３１ｂ上に青色ＬＥＤ３２Ｂが設けられている。図９（ａ）に示すように、光源３９は、
単色発光体として１つの青色ＬＥＤ３２Ｂのみを有している。青色ＬＥＤ３２Ｂは、図９
（ｂ）に示すように、そのＬＥＤ３２Ｂのアノード３６がワイヤ３７ａを介して電極３３
の内部端子に接続され、カソード３８がワイヤ３７ｂを介して電極３４の内部端子に接続
されている。また、透明樹脂４１は、絶縁体３１の凹部の内側の空間に充填されている。
そして、複数のＹＡＧ系蛍光体４０が、その透明樹脂４１の内部に分散状態で含まれてい
る。
【００７８】
青色ＬＥＤ３２Ｂが発光すると、青色光の一部はそのまま外部へ出射し、他の一部はＹ
ＡＧ系蛍光体４０に吸収されて青色光の補色である黄色光となって外部へ出射する。そし
て、これらの青色光と黄色光とが混光することによって白色光が出射光として得ることが
できる。
【００７９】
次に、上記の実施形態において、図８（ａ）光源部２７は、図４に示す光源２９や図９
に示す光源３９といったパッケージ型の光源であって白色光を出射する光源を複数個用い
て構成する場合を例示した。しかしながら、光源部２７は、複数の白色光源の中にＢ，Ｇ
，Ｒ等といった単色光源を混在させて構成することもできる。また、全てが同一色の複数
の単色光源を用いて構成することもできる。また、Ｂ，Ｇ又はＲの各単色光を発光する３
種類の単色光源を複数個用いて構成することもできる。
【００８０】
（照明装置及び液晶装置の第２実施形態）
次に、本発明に係る第１の照明装置及び液晶装置の他の実施形態について説明する。本
実施形態では、図３の複数の光源２９に関して、先の第１実施形態とは異なる配列が用い
られている。図８（ｂ）は、本実施形態に係る第１の照明装置及び液晶装置の主要部であ
る光源部２７における光源２９の配列を示している。本実施形態において、複数の光源２
９はフレキシブル基板２８上に設けられ、それらの光源２９のうちの輝度が高い光を出射
する一対の高輝度光源２９ｂ，２９ｂの間に、輝度が低い光を出射する低輝度光源２９ａ
が２個ずつ配置されている。
【００８１】
なお、図８（ｂ）において、低輝度光源２９ａの右隣に高輝度光源２９ｂが配置されて
いる部分（例えば、矢印Ｅ１で示す部分）が、「輝度が高い光を出射する光源と輝度が低
い光を出射する光源とが隣り合って配置される」構成の実施形態を示している。また、４
つの光源が２９ｂ，２９ａ，２９ａ，２９ｂの順に配列されている部分（例えば、矢印Ｅ
２で示す部分）が、「輝度が低い光を出射する光源は、輝度が高い光を出射する光源の間
に配置される」構成の実施形態を示している。
【００８２】
本実施形態においても、先の第１実施形態と同じく、高輝度光源２９ｂにおける光の出
射範囲Ｗ２を低輝度光源２９ａにおける光の出射範囲Ｗ１に比べて広く設定している。一
般に、広い範囲Ｗ２に出射された光は狭い範囲Ｗ１に出射された光よりも強度が弱くなる
ので、低輝度光源２９ａから狭い範囲に出射した光と、高輝度光源２９ｂから広い範囲に
出射した光とが混光するとき、それらの光の間における強度の差が小さくなり、混光され
た光の光量の均一性が向上する。それ故、図２の照明装置３から発せられる光Ｌの輝度を
、照明装置３の全域において均一にできる。従って、この照明装置３を備えた図１の液晶
装置１において、液晶パネル２の表示の輝度にムラが発生することを防止できる。
【００８３】
また、図８（ｂ）において、高輝度光源２９ｂにおける光の出射範囲Ｗ２を広くするこ
とにより、複数の光源２９から出射した光の混光をそれらの光源２９に近い位置から開始
できる。すなわち、光源の光出射部３０から、複数の光源２９から出射した光が混光する
位置までの距離ｔ１を短くすることができる。それ故、照明装置３を小型に形成できる。
【００８４】
（照明装置及び液晶装置の第３実施形態）
次に、本発明に係る第２の照明装置及び液晶装置の一実施形態について説明する。なお
、本実施形態において、照明装置を含めた液晶装置の構成は、照明装置における光源の配
列を除いて、図１及び図２に示す液晶装置１と同じであるので、その詳細な説明は省略す
る。また、本実施形態において、第１実施形態と同じ構成要素は同じ符号を付して説明す
る。
【００８５】
先の第１実施形態では、図８（ａ）において、Ｂ，Ｇ，Ｒの各色の単色発光体によって
白色光を出射する光源２９の配列及び光出射範囲を、光源２９の輝度の違いに応じて設定
する場合を例示した。具体的には、高輝度光源２９ｂと低輝度光源２９ａとが隣り合うよ
うに配列し、それらの光源２９ａと２９ｂとの間で光の出射範囲を異ならせる構成とした
。これに対し、本実施形態では、光源２９の配列と光出射範囲とを、光源２９の色味の違
い、特に青味の違いに基づいて設定する場合を例示する。
【００８６】
ここで、特に青味を選択したのは、主に「視感度」の違いを考慮したためである。人間
が感じる光の明るさである視感度は、その光の色によって異なっている。視感度が高い色
としては、例えば、青色が挙げられる。そのため、複数の同一色の光の間では、青味が強
い光の方が青味が弱い光に比べて視感度が高くなる。すなわち、人間は、青味が強い光源
から出射される光を明るく感じ、青味が弱い光源から出射される光を暗く感じることにな
る。仮に、複数の同一色の光源の間で青味に強弱のムラが生じると、照明装置から発せら
れる光の青味にムラが生じる。その結果、照明装置から発せられた光を視認した者は、そ
の照明装置から発せられる光の輝度にムラがあるものと感じるおそれがある。そのため、
複数の同一色の光源の間で青味のムラを補正することにより、輝度ムラを補正する場合と
同様に、照明装置から出射する光の光量を均一にできる。
【００８７】
本実施形態においても、図８（ａ）を用いて光源２９の配列に関して説明する。光源２
９は、青味の違いに基づいて、青味が弱い光源２９ａと青味が強い光源２９ｂとの２種類
に分けることができる。青味が弱い光源２９ａは、色味の基準値よりも青味が弱い光を出
射する光源である。他方、青味が強い光源２９ｂは、上記の色味の基準値よりも青味が強
い光を出射する光源である。ここで、青味の基準値は、例えば、光源２９の設計基準値で
あり、光源２９が出射する光の青味の目標となる値である。
【００８８】
なお、本実施形態において用いる光源２９は複数の単色発光体を用いてなる光源である
。この構成の光源において、青味が強いか又は青味が弱いかは、光源が出射する光のスペ
クトル上において青色の波長成分が強いか又は弱いかということである。
【００８９】
上記の青味が弱い光源２９ａと青味が強い光源２９ｂの色味の違いは、例えば、光源２
９に用いる図３のＬＥＤ３２の製造誤差等によって生じる色味のバラツキによるものであ
る。なお、図８（ａ）に示す複数の青味が弱い光源２９ａ同士の間、及び複数の青味が強
い光源２９ｂ同士の間においても、図３のＬＥＤ３２の製造誤差等による色味のバラツキ
が生じているものとする。すなわち、複数の青味が弱い光源２９ａは、基準値より弱い色
味の範囲内において、青味が強い個体と青味が弱い個体とを含むものである。また、複数
の青味が強い光源２９ｂも、基準値より強い色味の範囲内において、青味が強い個体と青
味が弱い個体とを含むものである。
【００９０】
図８（ａ）において、複数の光源２９は、フレキシブル基板２８上に行方向Ｘに並んで
配置されている。そして、図の左側から順に青味が弱い光源２９ａと青味が強い光源２９
ｂとが交互に配置されている。具体的には、最も左側に位置する青味が弱い光源２９ａの
右隣に、青味が強い光源２９ｂが設けられている。そして、その青味が強い光源２９ｂの
右隣には、青味が弱い光源２９ａが設けられている。以下、同様にして、青味が弱い光源
２９ａ、青味が強い光源２９ｂの順に交互に配置されている。すなわち、青味が弱い光源
２９ａと青味が強い光源２９ｂとが隣り合って配置されている。
【００９１】
なお、図８（ａ）において、青味が弱い光源２９ａの右隣に青味が強い光源２９ｂが配
置されている部分（例えば、矢印Ｃ１で示す部分）が、「青味が強い光を出射する光源と
青味が弱い光を出射する光源とが隣り合って配置される」構成の実施形態を示している。
また、３つの光源が２９ｂ，２９ａ，２９ｂの順に配列されている部分（例えば、矢印Ｃ
２で示す部分）が、「青味が弱い光を出射する光源は、青味が強い光を出射する光源の間
に配置される」構成の実施形態を示している。
【００９２】
また、本実施形態では、青味が強い光源２９ｂの光出射範囲Ｗ２を、青味が弱い光源２
９ａの光出射範囲Ｗ１に比べて広く設定している。すなわち、光の出射範囲が広い光源２
９ｂと光の出射範囲が狭い光源２９ａとが隣り合って配置されている。
【００９３】
個々の光源２９の光出射範囲は、第１実施形態と同じく、図４（ｂ）において光源２９
の光出射部３０に設けられたレンズ４２の屈折率を変えることにより調節できる。例えば
、図８（ａ）の青味が強い光源２９ｂにおいては、図４（ｂ）のレンズ４２の屈折率を大
きく設定することにより、図８（ａ）の光出射部３０から外部へ向けて広い範囲Ｗ１に光
を出射できる。他方、青味が弱い光源２９ａにおいては、図４（ｂ）のレンズ４２の屈折
率を小さく設定することにより、図８（ａ）の光出射部３０から外部へ向けて狭い範囲Ｗ
２の光を出射できる。レンズ４２の屈折率を上記のように設定すれば、青味が強い光源２
９ｂにおける光の出射範囲Ｗ２を、青味が弱い光源２９ａにおける光の出射範囲Ｗ１に比
べて広くすることを容易に実現できる。
【００９４】
以上のように、本実施形態の照明装置３では、図８（ａ）に示すように、複数の同一色
（本実施形態では白色）の光源２９の間で、青味が強い光源２９ｂの光出射範囲Ｗ２を青
味が弱い光源２９ａの光出射範囲Ｗ１に比べて広く設定した。一般に、広い範囲Ｗ２に出
射された光は狭い範囲Ｗ１に出射した光よりも強度が弱くなるので、青味が弱い光源２９
ａから狭い範囲に出射した光と、青味が強い光源２９ｂから広い範囲に出射された光とが
混光するとき、それらの光の間における色味の差が小さくなり、混光された光の色味の均
一性が向上する。それ故、図２の照明装置３から発せられる光Ｌの青味を、光出射面２６
ｃの全域において均一にできる。従って、この照明装置３を備えた図２の液晶装置１にお
いて、液晶パネル２の表示の色味にムラが発生することを防止できる。
【００９５】
また、図８（ａ）において、青味が強い光を出射する光源２９ｂにおける光の出射範囲
Ｗ２を広くすることにより、複数の光源２９から出射した光の混光をそれらの光源２９に
近い位置から開始できる。すなわち、光源２９の光出射部３０から、複数の光源２９から
出射した光が混光する位置までの距離ｔ０を短くすることができる。これにより、本実施
形態の照明装置３では、青味にムラの無い光を光源２９から近い位置において出射できる
ので、照明装置３を小型に形成できる。
【００９６】
（変形例）
上記の第３実施形態では、図８（ａ）の複数の青味が弱い光源２９ａが青味が強い個体
と青味が弱い個体とを含む場合、及び複数の青味が強い光源２９ｂが青味が強い個体と青
味が弱い個体とを含む場合を例示した。しかしながら、本発明は、複数の青味が弱い光源
２９ａ同士の間及び複数の青味が強い光源２９ｂ同子の間において、青味のバラツキが微
少の場合、又は青味が一定に揃っている場合にも適用できる。
【００９７】
また、第３実施形態では、複数の青味が弱い光源２９ａの間において、それらの光出射
範囲Ｗ１を同じ範囲に設定している。また、複数の青味が強い光源２９ｂの間においても
、それらの光出射範囲Ｗ２を同じ範囲に設定している。しかしながら、個々の青味が弱い
光源２９ａの青味のバラツキに応じて光出射範囲をそれぞれ異ならせても良い。また、個
々の青味が強い光源２９ｂの青味のバラツキに応じて光出射範囲もそれぞれ異ならせても
良い。こうすれば、図２の照明装置３から発せられる光Ｌの青味をより確実に均一にでき
る。
【００９８】
また、第３実施形態では、図４（ｂ）に示すレンズ４２の屈折率を変えることにより、
光源２９の光出射範囲を調節している。しかしながら、光源２９の光出射範囲は、光反射
面３１ａのＬＥＤ３２に対する角度を変えることによって調節することもできる。例えば
、図８（ａ）の青味が強い光源２９ｂにおいては、図４（ｂ）に示す凹部の開放部が大き
く開いて光出射部３０が広くなるように、光反射面３１ａの角度を大きくすることにより
、光出射部３０から外部へ向けて広い範囲Ｗ２に光を出射できる。他方、図８（ａ）の青
味が弱い光源２９ａにおいては、図４（ｂ）に示す光出射部３０が狭くなるように、光反
射面３１ａの角度を小さくすることにより、光出射部３０から外部へ向けて狭い範囲Ｗ２
に光を出射できる。
【００９９】
また、第３実施形態では、光源として、図４に示すように、青色ＬＥＤ３２Ｂ、緑色Ｌ
ＥＤ３２Ｇ及び赤色ＬＥＤ３２Ｒを備えたパッケージ型の光源を用いている。このパッケ
ージ型の光源では、各ＬＥＤ３２Ｂ，３２Ｇ，３２Ｒから出射された各色の光を混光して
白色光を得ている。しかしながら、照明装置には、上記以外の構成の白色光源を用いるこ
ともできる。例えば、図９に示すよな白色光源、すなわち、青色ＬＥＤの光出射領域内に
ＹＡＧ系蛍光体を設けてなる白色光源３９を用いることができる。
【０１００】
また、第３実施形態において、光源部は、図４に示す光源２９や図９に示す光源３９と
いったパッケージ型の光源であって白色光を出射する光源を複数個用いて構成する場合を
例示した。しかしながら、光源部は、複数の白色光源の中にＢ，Ｇ，Ｒ等といった単色光
源を混在させて構成することもできる。また、全てが同一色の複数の単色光源を用いて構
成することもできる。また、Ｂ，Ｇ又はＲの各単色光を発光する３種類の単色光源を複数
個用いて構成することもできる。
【０１０１】
（照明装置及び液晶装置の第４実施形態）
次に、本発明に係る第２の照明装置及び液晶装置の他の実施形態について説明する。本
実施形態では、図３の複数の光源２９に関して、先の第３実施形態とは異なる配列が用い
られている。図８（ｂ）は、本実施形態に係る第２の照明装置及び液晶装置の主要部であ
る光源部２７における光源２９の配列に関する他の例を示している。本実施形態において
、複数の光源２９はフレキシブル基板２８上に設けられ、それらの光源２９のうちの青味
が強い光を出射する一対の光源２９ｂ，２９ｂの間に青味が弱い光を出射する光源２９ａ
が２個ずつ配置されている。
【０１０２】
なお、図８（ｂ）において、青味が弱い光源２９ａの右隣に青味が強い光源２９ｂが配
置されている部分（例えば、矢印Ｅ１で示す部分）が、「青味が強い光を出射する光源と
青味が弱い光を出射する光源とが隣り合って配置される」構成の実施形態を示している。
また、４つの光源が２９ｂ，２９ａ，２９ａ，２９ｂの順に配列されている部分（例えば
、矢印Ｅ２で示す部分）が、「青味が弱い光を出射する光源は、青味が強い光を出射する
光源の間に配置される」構成の実施形態を示している。
【０１０３】
本実施形態においても、先の第３実施形態と同じく、青味が強い光源２９ｂにおける光
の出射範囲Ｗ２を、青味が弱い光源２９ａにおける光の出射範囲Ｗ１に比べて広く設定し
ている。一般に、広い範囲Ｗ２に出射した光は狭い範囲Ｗ１に出射された光よりも強度が
弱くなるので、青味が弱い光源２９ａから狭い範囲に出射した光と、青味が強い光源２９
ｂから広い範囲に出射された光とが混光するとき、それらの光の間における強度の差が小
さくなり、混光された光の色味の均一性が向上する。それ故、図２の照明装置３から発せ
られる光Ｌの青味を、照明装置３の全域において均一にできる。従って、この照明装置３
を備えた図１の液晶装置１において、液晶パネル２の表示の色味にムラが発生することを
防止できる。
【０１０４】
また、図８（ｂ）において、青味が強い光源２９ｂにおける光の出射範囲Ｗ２を広くす
ることにより、複数の光源２９から出射した光の混光をそれらの光源２９に近い位置から
開始できる。すなわち、光源の光出射部３０から、複数の光源２９から出射した光が混光
する位置までの距離ｔ１を短くすることができる。それ故、照明装置３を小型に形成でき
る。
【０１０５】
（照明装置及び液晶装置の第５実施形態）
図１０は、本発明に係る第１の照明装置及び液晶装置のさらに他の実施形態を示してい
る。図１及び図２を用いて説明した先の実施形態では、図２に示したように、光源部２７
が導光体２６の側面に設けられる形式の照明装置、いわゆるサイドライト方式の照明装置
を用いた。これに対し、図１０に示す本実施形態の液晶装置５１は、被照明体である液晶
パネル５２のほぼ全面に対向して光源部が設けられる形式の照明装置、いわゆる直下型の
照明装置を用いている。
【０１０６】
本実施形態の照明装置５３は、光反射板５４と、光源部５７と、光散乱板５５と、第１
の集光板５６ａと、第２の集光板５６ｂとを有する。光反射板５４、光源部５７、光散乱
板５５、集光板５６ａ、集光板５６ｂの各要素は、図１１に示すように、筐体５９に互い
に重ねて収納される。そして、集光板５６ｂの上に液晶パネル５２が設けられる。液晶パ
ネル５２としては、例えば、図１及び図２に示した液晶パネル２が用いられる。
【０１０７】
図１２（ａ）及び図１２（ｂ）は、光源６２の配列に関する一例を示している。図１２
（ａ）において、光源部５７は、短冊状すなわち単列の光源ユニット６３を面内に複数個
、平行に並べることによって形成されている。個々の単列の光源ユニット６３は、フレキ
シブル基板５８と、その基板５８上に設けられた複数の光源６２とを有する。複数の光源
６２は、個々のフレキシブル基板５８上で直線の列状に並べられており、複数のフレキシ
ブル基板５８を平行に並べたときに縦方向及び横方向へマトリクス状に並べられる。光源
６２は、図４（ｂ）に示すパッケージ型の光源２９と同じ構造のものを用いることとする
。
【０１０８】
図１０に示す本実施形態の液晶装置５１においては、表示を行う際、例えば図７に示す
ように光源６２内の青色ＬＥＤ３２Ｂ、緑色ＬＥＤ３２Ｇ及び赤色ＬＥＤ３２Ｒとが１フ
レーム期間中の所定期間だけパルス幅制御に応じて発光する。これにより、図１０の照明
装置５３から面状の光が液晶パネル５２へ直接に照射される。
【０１０９】
本実施形態では、図１２（ｂ）において光源ユニット６３を側面から見た場合、複数の
光源６２は、フレキシブル基板５８上に行方向Ｘに並んで配置されている。そして、図の
左側から順に低輝度光源６２ａと高輝度光源６２ｂとが交互に配置されている。具体的に
は、最も左側に位置する低輝度光源６２ａの右隣に、高輝度光源６２ｂが設けられている
。そして、その高輝度光源６２ｂの右隣には、低輝度光源６２ａが設けられている。以下
、同様にして、低輝度光源６２ａ、高輝度光源６２ｂの順に交互に配置されている。すな
わち、低輝度光源６２ａと高輝度光源６２ｂとが隣り合って配置されている。
【０１１０】
他方、図１２（ａ）において光源ユニット６３を平面的に見た場合、低輝度光源６２ａ
と高輝度光源６２ｂとの配列の仕方に関しては、例えば、行方向Ｘにおいては低輝度光源
６２ａと高輝度光源６２ｂとが１つずつ交互に並び、行方向Ｘ及び列方向Ｙの両方向で互
いに隣り同士に並ばない配列状態となっている。
【０１１１】
なお、図１２（ｂ）において、低輝度光源６２ａの右隣に高輝度光源６２ｂが配置され
ている部分（例えば、矢印Ｆ１で示す部分）が、「輝度が高い光を出射する光源と輝度が
低い光を出射する光源とが隣り合って配置される」構成の実施形態を示している。また、
３つの光源が６２ｂ，６２ａ，６２ｂの順に配列されている部分（例えば、矢印Ｆ２で示
す部分）が、「輝度が低い光を出射する光源は、輝度が高い光を出射する光源の間に配置
される」構成の実施形態を示している。
【０１１２】
上記のような配列状態において、高輝度光源６２ｂにおける光の出射範囲Ｗ２を、低輝
度光源６２ａにおける光の出射範囲Ｗ１に比べて広く設定している。一般に、広い範囲Ｗ
２に出射された光は狭い範囲Ｗ１に出射された光よりも強度が弱くなるので、低輝度光源
６２ａから狭い範囲に出射した光と、高輝度光源６２ｂから広い範囲に出射した光とが混
光するとき、それらの光の間における強度の差が小さくなり、混光された光の光量の均一
性が向上する。それ故、図１０の照明装置５３から発せられる光の輝度を、照明装置５３
の全域において均一にできる。従って、この照明装置５３を備えた液晶装置５１において
、液晶パネル５２の表示の輝度にムラが発生することを防止できる。
【０１１３】
また、図１２（ｂ）において、高輝度光源６２ｂにおける光の出射範囲Ｗ２を広くする
ことにより、複数の光源６２から出射した光の混光をそれらの光源６２に近い位置から開
始できる。すなわち、光源の光出射部３０から、複数の光源６２から出射した光が混光す
る位置までの距離ｔ２を短くすることができる。これにより、図１０の照明装置５３では
、光源６２から近い位置において輝度ムラの無い光を出射できるので、照明装置５３を薄
く形成できる。
【０１１４】
（照明装置及び液晶装置の第６実施形態）
次に、本発明に係る第１の照明装置及び液晶装置のさらに他の実施形態について説明す
る。本実施形態では、図１０の複数の光源６２の配列に関して、先の第５実施形態とは異
なる配列が用いられている。図１３（ａ）及び図１３（ｂ）は、本実施形態に係る第１の
照明装置及び液晶装置の主要部である光源ユニット６３における光源６２の配列を示して
いる。図１３（ｂ）において、複数の光源６２はフレキシブル基板５８上に設けられ、そ
れらの光源６２のうちの一対の高輝度光源６２ｂ，６２ｂの間に低輝度光源６２ａが２個
ずつ配置されている。
【０１１５】
他方、図１３（ａ）において光源ユニット６３を平面的に見た場合、低輝度光源６２ａ
と高輝度光源６２ｂとの配列の仕方に関しては、例えば、行方向Ｘにおいては２つの高輝
度光源６２ｂの間に２つの低輝度光源６２ａが配置され、行方向Ｘ及び列方向Ｙの両方向
で低輝度光源６２ａと高輝度光源６２ｂとができるだけ互いに隣り同士に並ばない配列状
態となっている。
【０１１６】
なお、図１３（ｂ）において、低輝度光源６２ａの右隣に高輝度光源６２ｂが配置され
ている部分（例えば、矢印Ｇ１で示す部分）が、「輝度が高い光を出射する光源と輝度が
低い光を出射する光源とが隣り合って配置される」構成の実施形態を示している。また、
４つの光源が６２ｂ，６２ａ，６２ａ，６２ｂの順に配列されている部分（例えば、矢印
Ｇ２で示す部分）が、「輝度が低い光を出射する光源は、輝度が高い光を出射する光源の
間に配置される」構成の実施形態を示している。
【０１１７】
本実施形態においても、高輝度光源６２ｂにおける光の出射範囲Ｗ２を、低輝度光源６
２ａにおける光の出射範囲Ｗ１に比べて広く設定した。一般に、広い範囲Ｗ２に出射され
た光は狭い範囲Ｗ１に出射された光よりも強度が弱くなるので、低輝度光源６２ａから狭
い範囲に出射した光と、高輝度光源６２ｂから広い範囲に出射した光とが混光するとき、
それらの光の間における強度の差が小さくなり、混光された光の光量の均一性が向上する
。それ故、図１０の照明装置５３から発せられる光の輝度を、照明装置５３の全域におい
て均一にできる。従って、この照明装置５３を備えた図１０の液晶装置５１において、液
晶パネル５２の表示の輝度にムラが発生することを防止できる。
【０１１８】
また、図１３（ｂ）において、高輝度光源６２ｂにおける光の出射範囲Ｗ２を広くする
ことにより、複数の光源６２から出射した光の混光をそれらの光源６２に近い位置から開
始できる。すなわち、光源の光出射部３０から、複数の光源６２から出射した光が混光す
る位置までの距離ｔ３を短くすることができる。それ故、照明装置５３を薄く形成できる
。
【０１１９】
（照明装置及び液晶装置の第７実施形態）
次に、本発明に係る第２の照明装置及び液晶装置のさらに他の実施形態について説明す
る。なお、本実施形態において、照明装置を含めた液晶装置の構成は、照明装置における
光源の配列を除いて、図１０に示す液晶装置５１と同じであるので、それらの詳細な説明
は省略する。また、本実施形態において、先の実施形態と同じ構成要素は同じ符号を付し
て説明する。
【０１２０】
先の第５実施形態では、図１２（ａ）及び図１２（ｂ）において、光源６２の配列と光
出射範囲とを、光源６２の輝度の違いに基づいて設定する場合を例示した。具体的には、
高輝度光源６２ｂと低輝度光源６２ａとを互いに隣り合うように配列し、それらの光源６
２ａと６２ｂとの間で光の出射範囲を異ならせる構成とした。これに対し、本実施形態で
は、光源６２の配列及び光出射範囲を、光源６２の色味の違い、特に青味の違いに基づい
て設定する場合を例示する。
【０１２１】
本実施形態においても、図１２（ａ）及び図１２（ｂ）を用いて光源６２の配列に関し
て説明する。図１２（ｂ）において、光源ユニット６３を側面から見た場合、複数の光源
６２は、フレキシブル基板５８上に行方向Ｘに並んで配置されている。そして、図の左側
から順に輝度の異なる青味が弱い光源６２ａと青味が強い光源６２ｂとが交互に配置され
ている。具体的には、最も左側に位置する青味が弱い光源６２ａの右隣に、青味が強い光
源６２ｂが設けられている。そして、その青味が強い光源６２ｂの右隣には、青味が弱い
光源６２ａが設けられている。以下、同様にして、青味が弱い光源６２ａ、青味が強い光
源６２ｂの順に交互に配置されている。すなわち、青味が弱い光源６２ａと青味が強い光
源６２ｂとが隣り合って配置されている。
【０１２２】
他方、図１２（ａ）において光源ユニット６３を平面的に見た場合、青味が弱い光源６
２ａと青味が強い光源６２ｂとの配列の仕方に関しては、例えば、行方向Ｘにおいては青
味が弱い光源６２ａと青味が強い光源６２ｂとが１つずつ交互に並び、行方向Ｘ及び列方
向Ｙの両方向で互いに隣り同士に並ばない配列状態となっている。
【０１２３】
なお、図１２（ｂ）において、青味が弱い光源６２ａの右隣に青味が強い光源６２ｂが
配置されている部分（例えば、矢印Ｆ１で示す部分）が、「青味が強い光を出射する光源
と青味が弱い光を出射する光源とが隣り合って配置される」構成の実施形態を示している
。また、３つの光源が６２ｂ，６２ａ，６２ｂの順に配列されている部分（例えば、矢印
Ｆ２で示す部分）が、「青味が弱い光を出射する光源は、青味が強い光を出射する光源の
間に配置される」構成の実施形態を示している。
【０１２４】
上記のように光源６２を配列した状態において、青味が強い光源６２ｂにおける光の出
射範囲Ｗ２を、青味が弱い光源６２ｂにおける光の出射範囲Ｗ１に比べて広く設定してい
る。一般に、広い範囲Ｗ２に出射された光は狭い範囲Ｗ１に出射された光よりも強度が弱
くなるので、青味が弱い光源６２ａから狭い範囲に出射した光と、青味が強い光源６２ｂ
から広い範囲に出射した光とが混光するとき、それらの光の間における光の色味の差が小
さくなり、混光された光の色味の均一性が向上する。それ故、図１０の照明装置５３から
発せられる光の青味を、照明装置５３の全域において均一にできる。従って、この照明装
置５３を備えた液晶装置５１において、液晶パネル５２の表示の色味にムラが発生するこ
とを防止できる。
【０１２５】
また、図１２（ｂ）において、青味が強い光源６２ｂにおける光の出射範囲Ｗ２を広く
することにより、複数の光源６２から出射した光の混光をそれらの光源６２に近い位置か
ら開始できる。すなわち、光源の光出射部３０から、複数の光源６２から出射した光が混
光する位置までの距離ｔ２を短くすることができる。これにより、図１０の照明装置５３
では、光源６２から近い位置において色味にムラが無い光を出射できるので、照明装置５
３を薄く形成できる。
【０１２６】
（照明装置及び液晶装置の第８実施形態）
次に、本発明に係る第２の照明装置及び液晶装置のさらに他の実施形態について説明す
る。本実施形態では、図１０の複数の光源６２に関して、先の第７実施形態とは異なる配
列が用いられている。図１３（ａ）及び図１３（ｂ）は、本実施形態に係る第２の照明装
置及び液晶装置の主要部である光源ユニット６３における光源６２の配列を示している。
図１３（ｂ）において、複数の光源６２はフレキシブル基板５８上に設けられ、それらの
光源６２のうちの一対の青味が強い光源６２ｂ，６２ｂの間に青味が弱い光源６２ａが２
個ずつ配置されている。
【０１２７】
他方、図１３（ａ）において光源ユニット６３を平面的に見た場合、青味が弱い光源６
２ａと青味が強い光源６２ｂとの配列の仕方に関しては、例えば、行方向Ｘにおいては２
つの青味が強い光源６２ｂの間に２つの青味が弱い光源６２ａが配置され、行方向Ｘ及び
列方向Ｙの両方向で青味が弱い光源６２ａと青味が強い光源６２ｂとができるだけ互いに
隣り同士に並ばない配列状態となっている。
【０１２８】
なお、図１３（ｂ）において、青味が弱い光源６２ａの右隣に青味が強い光源６２ｂが
配置されている部分（例えば、矢印Ｇ１で示す部分）が、「青味が強い光を出射する光源
と青味が弱い光を出射する光源とが隣り合って配置される」構成の実施形態を示している
。また、４つの光源が６２ｂ，６２ａ，６２ａ，６２ｂの順に配列されている部分（例え
ば、矢印Ｇ２で示す部分）が、「青味が弱い光を出射する光源は、青味が強い光を出射す
る光源の間に配置される」構成の実施形態を示している。
【０１２９】
本実施形態においても、先の第６実施形態と同じく、青味が強い光源６２ｂにおける光
の出射範囲Ｗ２を、青味が弱い光源６２ａにおける光の出射範囲Ｗ１に比べて広く設定し
ている。一般に、広い範囲Ｗ２に出射された光は狭い範囲Ｗ１に出射された光よりも強度
が弱くなるので、青味が弱い光源６２ａから狭い範囲に出射した光と、青味が強い光源６
２ｂから広い範囲に出射した光とが混光するとき、それらの光の間における強度の差が小
さくなり、混光された光の光量の均一性が向上する。それ故、図１０の照明装置５３から
発せられる光の輝度を、照明装置５３の全域において均一にできる。従って、この照明装
置５３を備えた図１０の液晶装置５１において、液晶パネル５２の表示の輝度にムラが発
生することを防止できる。
【０１３０】
また、図１３（ｂ）において、青味が強い光源６２ｂにおける光の出射範囲Ｗ２を広く
することにより、複数の光源６２から出射した光の混光をそれらの光源６２に近い位置か
ら開始できる。すなわち、光源の光出射部３０から、複数の光源６２から出射した光が混
光する位置までの距離ｔ３を短くすることができる。それ故、照明装置５３を薄く形成で
きる。
【０１３１】
（照明装置及び液晶装置のその他の実施形態）
以上、好ましい実施形態を挙げて本発明を説明したが、本発明はその実施形態に限定さ
れるものでなく、請求の範囲に記載した発明の範囲内で種々に改変できる。
【０１３２】
例えば、上記の各実施形態において、液晶装置は、図１の３つのサブ画素Ｄに対応して
Ｂ（青），Ｇ（緑），Ｒ（赤）の３色の各色の着色膜（すなわち、着色領域）２１を対応
させた。しかしながら、着色膜２１は、４つのサブ画素Ｄに対応して、Ｂ（青），Ｇ（緑
），Ｒ（赤）に他の色を加えた４色の各色を対応させることもできる。この場合、着色膜
２１の色は以下の通り種々の組み合わせが考えられる。つまり、４つのサブ画素Ｄで１つ
の表示画素Ｇを形成することもできる。
【０１３３】
このように４色の着色領域によって１つの表示画素Ｇを形成する場合、４色の着色領域
は、波長に応じて色相が変化する可視光領域（３８０から７８０ｎｍ）のうち、青系の色
相の着色領域と、赤系の色相の着色領域と、青から黄までの色相の中で選択された２種の
色相の着色領域から成る。ここで、系の文言を用いているが、例えば青系であれば純粋の
青の色相に限定されるものでなく、青紫や青緑等を含むものである。赤系の色相であれば
、赤に限定されるものでなく橙を含むものである。また、これらの着色領域は単一の着色
膜で構成しても良いし、複数の異なる色相の着色膜を重ねて構成しても良い。また、これ
らの着色領域は色相で述べているが、当該色相は、彩度、明度を適宜に変更し、色を設定
し得るものである。
【０１３４】
具体的な色相の範囲は、（１）青系の色相の着色領域は、青紫から青緑であり、より好
ましくは藍から青である。（２）赤系の色相の着色領域は、橙から赤である。（３）青か
ら黄までの色相で選択される一方の着色領域は、青から緑であり、より好ましくは青緑か
ら緑である。（４）青から黄までの色相で選択される他方の着色領域は、緑から橙であり
、より好ましくは緑から黄である。若しくは緑から黄緑である。
ここで、各着色領域は、同じ色相を用いることはない。例えば、青から黄までの色相で
選択される２つの着色領域で緑系の色相を用いる場合は、他方は一方の緑に対して青系若
しくは黄緑系の色相を用いる。以上により、従来のＢ，Ｇ，Ｒ３色の着色領域を用いる場
合よりも広範囲の色再現性を実現できる。
【０１３５】
他の具体的な例として、着色領域を、透過する波長で規定することができる。例えば、
（１）青系の着色領域は、該領域を透過した光の波長のピークが４１５〜５００ｎｍにあ
る着色領域、好ましくは、４３５〜４８５ｎｍにある着色領域である。（２）赤系の着色
領域は、該領域を透過した光の波長のピークが６００ｎｍ以上にある着色領域で、好まし
くは、６０５ｎｍ以上にある着色領域である。（３）青から黄までの色相で選択される一
方の着色領域は、該領域を透過した光の波長のピークが４８５〜５３５ｎｍにある着色領
域で、好ましくは、４９５〜５２０ｎｍにある着色領域である。（４）青から黄までの色
相で選択される他方の着色領域は、該領域を透過した光の波長のピークが５００〜５９０
ｎｍにある着色領域、好ましくは５１０〜５８５ｎｍにある着色領域、若しくは５３０〜
５６５ｎｍにある着色領域である。
以上の波長は、透過表示の場合は、照明装置からの照明光がカラーフィルタを通して得
られた数値である。また、反射表示の場合は、外光を反射して得られた数値である。
【０１３６】
他の具体的な例として、着色領域を、ｘ，ｙ色度図で規定することができる。例えば、
（１）青系の着色領域は、ｘ≦０．１５１、ｙ≦０．２００にある着色領域であり、好ま
しくは、０．１３４≦ｘ≦０．１５１、０．０３４≦ｙ≦０．２００にある着色領域であ
る。（２）赤系の着色領域は、０．５２０≦ｘ、ｙ≦０．３６０にある着色領域であり、
好ましくは、０．５５０≦ｘ≦０．６９０、０．２１０≦ｙ≦０．３６０にある着色領域
である。（３）青から黄までの色相で選択される一方の着色領域は、ｘ≦０．２００、０
．２１０≦ｙにある着色領域であり、好ましくは、０．０８０≦ｘ≦０．２００、０．２
１０≦ｙ≦０．７５９にある着色領域である。（４）青から黄までの色相で選択される他
方の着色領域は、０．２５７≦ｘ、０．４５０≦ｙにある着色領域であり、好ましくは０
．２５７≦ｘ≦０．５２０、０．４５０≦ｙ≦０．７２０にある着色領域である。このｘ
，ｙ色度図は、透過表示の場合は、照明装置からの照明光がカラーフィルタを通して得ら
れた数値である。また、反射表示の場合は、外光を反射して得られた数値である。
【０１３７】
図１に示した液晶装置１において、個々のサブ画素Ｄはその全域が光透過領域であって
も良いし、個々のサブ画素Ｄの中に光透過領域と光反射領域の両方が存在するものであっ
ても良い。個々のサブ画素Ｄの全域が光透過領域である場合の液晶装置は、透過型の液晶
装置である。個々のサブ画素Ｄの中に光透過領域と光反射領域の両方が存在する場合の液
晶装置は、半透過反射型の液晶装置である。サブ画素に光透過領域と光反射領域とを有す
る場合、以上に説明した４色の着色領域は、光透過領域及び光反射領域も上述した範囲で
適用できるものである。
【０１３８】
図３の光源２９は、Ｂ（青）、Ｇ（緑）、Ｒ（赤）のそれぞれの単独の発光素子を用い
て構成している。この場合には、Ｂ（青）は発光した光の波長のピークが４３５〜４８５
ｎｍにあるもの、Ｇ（緑）は発光した波長のピークが５２０〜５４５ｎｍにあるもの、Ｒ
（赤）は発光した波長のピークが６１０〜６５０ｎｍにあるものとすることができる。こ
の場合、カラーフィルタのＢ，Ｇ，Ｒの各着色領域は光源側とほぼ同じ波長部分にピーク
を有する分光分布を有するものを選定することが望ましい。これにより、広範囲の色再現
性を得ることができる。また、波長が例えば、４５０ｎｍと５６５ｎｍにピークを持つよ
うな、複数のピークを持つ光源を用いることができる。
【０１３９】
また、カラーフィルタを構成する４色の着色領域の構成例として、次の例が考えられる
。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルドグリーン、黄緑の着色領域。
（５）色相が、赤、青、エメラルドグリーン、黄の着色領域。
（６）色相が、赤、青、深緑、黄緑の着色領域。
（７）色相が、赤、青緑、深緑、黄緑の着色領域。
【０１４０】
また、上記実施形態では、図３において、光源２９は複数のＬＥＤ３２を用いて形成し
た。これに代えて、蛍光管、有機ＥＬ（Electro Luminescence）を用いて光源２９を形成
しても良い。
【０１４１】
（電子機器の実施形態）
次に、本発明に係る電子機器の実施形態を説明する。図１４は電子機器の一実施形態の
ブロック図を示している。ここに示す電子機器は、液晶装置１と、制御回路１００とを有
する。液晶装置１は図１及び図２に示した液晶装置１と同じ構成の液晶装置であり、液晶
パネル２と、照明装置３と、駆動用ＩＣ１７（図１参照）に含まれる駆動回路１０１とを
有している。
【０１４２】
制御回路１００は、表示情報出力源１０２、表示情報処理回路１０３、電源回路１０４
及びタイミングジェネレータ１０５によって構成される。表示情報出力源１０２は、ＲＡ
Ｍ(Random Access Memory)等といったメモリや、各種ディスク等といったストレージユニ
ットや、ディジタル画像信号を同調出力する同調回路等を備え、タイミングジェネレータ
１０５により生成される各種のクロック信号に基づいて、所定フォーマットの画像信号等
といった表示情報を表示情報処理回路１０３に供給する。
【０１４３】
次に、表示情報処理回路１０３は、増幅・反転回路や、ローテーション回路や、ガンマ
補正回路や、クランプ回路等といった周知の回路を多数備え、入力した表示情報の処理を
実行して、画像信号をクロック信号ＣＬＫと共に駆動回路１０１へ供給する。ここで、駆
動回路１０１は、走査線駆動回路やデータ線駆動回路と共に、検査回路等を総称したもの
である。また、電源回路１０４は、上記の各構成要素に所定の電源電圧を供給する。
【０１４４】
図１５は、本発明に係る電子機器の他の一実施形態であるパーソナルコンピュータを示
している。このパーソナルコンピュータ１１０は、表示装置として機能する液晶装置１１
１と、本体部１１２とを有する。本体部１１２にはキーボード１１３が設けられている。
液晶装置１１１は、図１に示した液晶装置１や、図１０に示した液晶装置５１とすること
ができる。明るい表示を希望する場合には、図１に示すサイドライト方式の液晶装置１よ
りも、図１０に示す平面ライト方式、すなわち直下型の液晶装置５１を用いることが望ま
しい。
【０１４５】
図１６は、本発明に係る電子機器の他の実施形態である携帯電話機を示している。ここ
に示す携帯電話機１２０は、本体部１２２と、これに開閉可能に設けられた表示体部１２
３とを有する。表示体部１２３には、液晶装置１２１が表示装置として設けられている。
液晶装置１２１は、図１に示した液晶装置１や、図１０に示した液晶装置５１とすること
ができる。携帯電話機１２０を小型にしたい場合には、図１０に示す平面ライト方式の液
晶装置５１よりも、図１に示すサイドライト方式の液晶装置１を用いることが望ましい。
【０１４６】
本体部１２２には操作ボタン１２４及び送話部１２５が設けられている。送話部１２５
の内部には、図示しないマイクが内蔵されている。表示体部１２３の一部にはアンテナ１
２６が伸縮自在に取り付けられている。表示体部１２３の上部に設けられた受話部１２７
の内部には、図示しないスピーカが配置される。液晶装置１２１の動作を制御するための
制御部は、携帯電話機全体の制御を司る制御部の一部として、又はその制御部とは別に、
本体部１２２又は表示体部１２３の内部に格納されている。
【０１４７】
本発明に係る液晶装置１（図１参照）、液晶装置５１（図１０参照）等によれば、出射
する光の輝度又は青味のムラを抑えた照明装置３又は５３を用いることにより、液晶パネ
ル２又は５２の表示に輝度又は青味のムラが発生することを防止できる。従って、この液
晶装置１又は５１を用いた本発明に係る電子機器においても、表示の輝度又は青味にムラ
が発生することを防止できる。
【０１４８】
（変形例）
本発明は、図１５に示すパーソナルコンピュータや図１６に示す携帯電話機以外の他の
電子機器に適用できる。例えば、本発明は、液晶テレビ、ビューファインダ型又はモニタ
直視型のビデオテープレコーダ、カーナビゲーション装置、ページャ、電子手帳、電卓、
ワードプロセッサ、ワークステーション、テレビ電話、ＰＯＳ端末、デジタルスチルカメ
ラ等といった各種の電子機器に適用できる。
【図面の簡単な説明】
【０１４９】
【図１】本発明に係る液晶装置及び照明装置のそれぞれについての一実施形態の平面図である。
【図２】図１に示す液晶装置及び照明装置の側面断面図である。
【図３】図１の照明装置で用いる光源部の一例を示す斜視図である。
【図４】図３の光源部で用いる光源の一例を示しており、（ａ）は平面図であり、（ｂ）は（ａ）のＺ３−Ｚ３線に従った側面断面図である。
【図５】図１に示す照明装置で用いられる駆動回路の一例を示す回路図である。
【図６】図５に示す駆動回路の要部を示す回路図である。
【図７】図５の駆動回路で用いる駆動用パルスの一例を示す図である。
【図８】（ａ）は図１の照明装置の光出射範囲の一例を示す平面図であり、（ｂ）は図１の照明装置の光出射範囲の他の一例を示す平面図である。
【図９】図３の光源部で用いる光源の他の例を示しており、（ａ）は平面図であり、（ｂ）は（ａ）のＺ４−Ｚ４に従った側面断面図である。
【図１０】本発明に係る液晶装置及び照明装置のそれぞれについての他の実施形態の平面図である。
【図１１】図１０の実施形態の分解側面図である。
【図１２】（ａ）は図１０の照明装置の要部の一例を示す平面図であり、（ｂ）は（ａ）の側面図である。
【図１３】（ａ）は図１０の照明装置の要部の他の例を示す平面図であり、（ｂ）は（ａ）の側面図である。
【図１４】本発明に係る電子機器の一実施形態のブロック図である。
【図１５】本発明に係る電子機器の他の実施形態であるパーソナルコンピュータの斜視図である。
【図１６】本発明に係る電子機器のさらに他の実施形態である携帯電話機の斜視図である。
【符号の説明】
【０１５０】
１，５１．液晶装置、  ２，５２．液晶パネル、  ３，５３．照明装置、  
４．素子基板、  ４ａ．透光性基板、  ５．カラーフィルタ基板、  ５ａ．透光性基板、
７．シール材、  ８．液晶層、  ９ａ，９ｂ．偏光板、  １１．ソース線、  
１２．ゲート線、  １２ａ．引回し配線、  １３．ＴＦＴ素子、  １４．画素電極、  
１５．張出し部、  １６．外部接続用端子、  １７．駆動用ＩＣ、  １８．ＦＰＣ基板、
２１．着色膜、  ２２．オーバーコート膜、  ２３．共通電極、  ２４．配線、  
２６．導光体、  ２７，５７．光源部、  ２８，５８．フレキシブル基板、  
２９，３９，６２．光源、  ２９ａ，６２ａ．低輝度光源（青味が弱い光源）、
２９ｂ，６２ｂ．高輝度光源（青味が強い光源）、  ３１．絶縁体、  
３１ａ．光反射面、  ３１ｂ．底面、  ３２Ｒ．赤色ＬＥＤ（発光体）、  
３２Ｇ．緑色ＬＥＤ（発光体）、  ３２Ｂ．青色ＬＥＤ（発光体）、  
３３，３４．電極、  ３６．アノード、  ３７ａ，３７ｂ．ワイヤ、  ３８．カソード、
４０．ＹＡＧ系蛍光体、  ４１．透明樹脂、  ４２．レンズ、  ４４．駆動回路、  
５０．パルス電圧発生回路、  ５４．光反射板、  ５５．光散乱板、  
５６ａ．第１集光板、  ５６ｂ．第２集光板、  ５９．筐体、  ６２．光源、  
６３．光源ユニット、  １００．制御回路、  １０１．駆動回路、  
１１０．パーソナルコンピュータ（電子機器）、  １１１．液晶装置、  
１２０．携帯電話機（電子機器）、  １２１．液晶装置、  Ｄ．サブ画素、  
Ｆ．額縁領域、  Ｇ．表示画素、  Ｒ０．電流制限抵抗、  Ｖ．表示領域
【図１】
2007287789.tif 000003
【図２】
2007287789.tif 000004
【図３】
2007287789.tif 000005
【図４】
2007287789.tif 000006
【図５】
2007287789.tif 000007
【図６】
2007287789.tif 000008
【図７】
2007287789.tif 000009
【図８】
2007287789.tif 000010
【図９】
2007287789.tif 000011
【図１０】
2007287789.tif 000012
【図１１】
2007287789.tif 000013
【図１２】
2007287789.tif 000014
【図１３】
2007287789.tif 000015
【図１４】
2007287789.tif 000016
【図１５】
2007287789.tif 000017
【図１６】
2007287789.tif 000018